(57)【要約】【課題】  切断された側縁部が原反受けに引っかかって内側へ垂れて、壁紙供給側の壁紙に接触して再び壁紙糊付機に搬送される。また、壁紙原反に接触して原反芯棒や壁紙原反に巻き付いてしまう。また、床に垂れ落ちて蓄積されている側縁部は作業者の足下で邪魔になる。また、床に垂れ落ちた側縁部の廃棄に手間を要するという課題を有している。【解決手段】  切断された側縁部を巻き取るための巻き取り軸と側縁部の先頭を保持するための側縁部先頭保持部を有し、巻き取り軸を刃物駆動軸に平行に配置し、刃物駆動軸の回転により巻き取り軸を回転させ、回転する巻き取り軸の周囲に側縁部先頭保持部を周回させることにより、側縁部を、側縁部先頭保持部を含み、巻き取り軸に巻き取ることを特徴とする。【選択図】図１
2018171659.tif 000002
【特許請求の範囲】
【請求項１】
刃物駆動軸に取り付けた回転刃により壁紙の側縁部を切断するスリッターを備え、壁紙の側縁部を切断しながら糊を塗布する壁紙糊付機であって、
切断された側縁部を巻き取るための巻き取り軸を設け、前記巻き取り軸は、側縁部の先頭を保持するための側縁部先頭保持部を有し、前記巻き取り軸を前記刃物駆動軸に平行に配置し、前記刃物駆動軸の回転により前記巻き取り軸を回転させ、回転する前記巻き取り軸の周囲に前記側縁部先頭保持部を周回させることにより、側縁部を、前記側縁部先頭保持部を含み、前記巻き取り軸に巻き取ることを特徴とする壁紙糊付機。
【請求項２】
前記巻き取り軸を前記スリッターに装着するための取付アームと、前記刃物駆動軸の回転を前記巻き取り軸に伝達するための駆動アームを設け、前記駆動アームは前記刃物駆動軸の回転を伝達するための車輪を有し、前記刃物駆動軸の回転中に前記巻き取り軸を回転させることを特徴とする前記請求項１の壁紙糊付機。
【請求項３】
前記側縁部先頭保持部は第１突起と第２突起と第３突起を有し、前記第１突起と前記第２突起により第１スリットを形成し、前記第２突起と前記第３突起により第２スリットを形成し、前記第１スリットと前記第２スリットは、片方の端が開放されたスリットであることを特徴とする前記請求項１、および前記請求項２の壁紙糊付機。
【請求項４】
前記巻き取り軸に、側縁部を巻き取るための巻芯を装着し、側縁部を、前記側縁部先頭保持部を含み、前記巻芯に巻き取ることを特徴とする前記請求項３の壁紙糊付機。
【請求項５】
回転刃により壁紙の側縁部を切断するスリッターを備え、壁紙搬送モーターにより壁紙を搬送し、壁紙の側縁部を切断しながら糊を塗布し、検尺手段により生成された検尺信号から、搬送した壁紙の長さを算出し、搬送した壁紙の長さが設定長に到達した場合に壁紙搬送モーターを停止させる壁紙糊付機であって、
切断された側縁部を巻き取るための巻き取り軸と、前記巻き取り軸を前記スリッターに装着するための取付アームと、前記巻き取り軸を回転させるための巻取モーターを設け、
前記巻き取り軸は、側縁部の先頭を保持するための側縁部先頭保持部を有し、前記取付アームによりスリッターに装着され、
前記壁紙搬送モーターの回転中に前記巻取モーターを回転させることにより前記巻き取り軸は回転し、回転する前記巻き取り軸の周囲に前記側縁部先頭保持部を周回させることにより、側縁部を、前記側縁部先頭保持部を含み、前記巻き取り軸に巻き取りることを特徴とする壁紙糊付機。
【請求項６】
前記側縁部先頭保持部は第１突起と第２突起と第３突起を有し、前記第１突起と前記第２突起により第１スリットを形成し、前記第２突起と前記第３突起により第２スリットを形成し、前記第１スリットと前記第２スリットは、片方の端が開放されたスリットであることを特徴とする前記請求項５の壁紙糊付機。
【請求項７】
前記巻き取り軸に、側縁部を巻き取るための巻芯を装着し、側縁部を、前記側縁部先頭保持部を含み、前記巻芯に巻き取ることを特徴とする特徴とする前記請求項５、および前記請求項６の壁紙糊付機。
【発明の詳細な説明】
【技術分野】
【０００１】
本発明は、部屋の天井や壁面に貼る壁紙に、所定の厚みで、所定の長さの壁紙に糊を塗布するための壁紙糊付機である。更に詳しくは、スリッターの回転刃により切断された壁紙の側縁部を巻き取るための巻き取り軸をスリッターに装着して側縁部を巻き取りながら糊付けを実行する壁紙糊付機である。
【背景技術】
【０００２】
図１０に従来技術の壁紙糊付機（１５０）を示す。脚部（１５２）の上に壁紙糊付機本体部（１５１）が載置され、壁紙糊付機本体部（１５１）の壁紙供給側には壁紙の側縁部Ｂを切断する為のスリッター（１５３）が装着され、壁紙糊付機本体部（１５１）の側面には壁紙糊付機（１５０）を制御するための制御装置（１５４）が装着されている。制御装置（１５４）にはモーターや表示操作部や演算部などが設けられている。
【０００３】
また、脚部（１５２）の壁紙供給側には、壁紙原反Ｃをセットする原反受け（１５５）が左右一対に設けられており、壁紙原反Ｃに原反芯棒（１５６）が通されて左右端面を左右一対のサイド板（１５７）により横方向にずれないように保持されて、原反芯棒（１５６）の左右一対の原反芯棒先端部（１７５）が原反受け（１５５）に引っかけられることにより壁紙原反Ｃは壁紙糊付機（１５０）にセットされる。
【０００４】
図１１（a）に従来技術の壁紙糊付機（１５０）に装着されるスリッター（１５３）を示す。上刃（１５８）の中心に上刃駆動軸（１６０）が通され、下刃（１５９）の中心に下刃駆動軸（１６１）が通されてフレーム（１６２）に軸支されている。
左右のフレーム（１６２）は背面ステー（１６４）と入り口ステー（１６５）により連結され、背面ステー（１６４）と入り口ステー（１６５）により形成された幅方向に長い隙間が壁紙Ａが壁紙糊付機（１５０）に搬送される入り口である。
また、入り口ステー（１６５）には、左右一対の、壁紙供給側へ湾曲した形状の切り屑ガイド（１６６）が装着される。
【０００５】
また、図１１（b）に示すものは、上刃（１７６）と下刃（１７７）を通した上刃駆動軸（１６７）と下刃駆動軸（１６８）を支持して覆う下刃軸受けケース（１６９）に、壁紙供給側へ湾曲した形状の湾曲内壁（１７０）を設けることにより図１１（a）に示す切り屑ガイド（１６６）と同様の働きをさせ、更に、左右一対の、壁紙供給側へ飛び出したシュート形状の切り屑ガイド（１７３）が背面ステー（１７２）に装着されるものである。
また、左右一対のフレーム（１７８）には壁紙糊付機（１５０）を運搬する際に原反芯棒（１５６）を収納して保持する為の原反芯棒受け（１７４）が設けられている。
また、スリッター（１５３）には、壁紙Ａを安定して搬送させる為のガイドローラー（１８０）が、上刃駆動軸（１６７）に、上刃駆動軸（１６７）と同軸に設けられている。
【０００６】
従来よりスリッター（１５３）は色々な改良が施されたものが具現化されているが、概ね、スリッター（１５３）は、背面ステー（１７２）と入り口ステー（１７１）に左右一対のフレーム（１７８）を連結したその内側に、上下一対で左右一対の上刃（１７６）と下刃（１７７）を、上刃駆動軸（１６７）と下刃駆動軸（１６８）に通した構造であり、本体部（１５１）に装着した際には、複数の歯車（図示せず）と制御装置（１５４）内のモーターにより、左右一対の上刃（１７６）と下刃（１７７）が回転駆動されることにより、背面ステー（１７２）と入り口ステー（１７１）との間から搬送された壁紙Ａの側縁部Ｂを切断するためのユニットである。
【先行技術文献】
【特許文献】
【０００７】
【特許文献１】特開２０００−２８８９７７
【０００８】
【特許文献１】特許第５５２２６０２号
【発明の開示】
【発明が解決しようとする課題】
【０００９】
図１２を用いて従来技術の壁紙糊付機（１５０）の課題を説明する。
上刃（１７６）と下刃（１７７）により切断され、湾曲内壁（１７０）により壁紙供給側へ誘導された側縁部Ｂは、切り屑ガイド（１７３）の下端から空中に解放されて床まで垂れ落ちて先端が床に着地して巻き貯まって蓄積されていくので、切り屑ガイド（１７３）の下端を支点として略円錐振り子のように揺れる。揺れの程度は、腰の強い壁紙や腰の弱い壁紙など壁紙の種類や、搬送される壁紙の速度（糊付け実行速度）により異なり、揺れの振幅が大きい場合や小さい場合や、また、揺れの周期が速い場合や遅い場合が生じる。
【００１０】
この揺れのため、側縁部Ｂが原反受け（１５５）に引っかかって内側へ垂れて、内側に垂れた側縁部Ｂが壁紙供給側の壁紙Ａに接触すると再び壁紙糊付機（１５０）に搬送されるという課題を有している。
【００１１】
また、壁紙原反Ｃに接触すると原反芯棒（１５６）や壁紙原反Ｃに巻き付いてしまうという課題を有している。
【００１２】
また、床に垂れ落ちて蓄積されている側縁部Ｂは作業者の足下で邪魔になるという課題を有している。
【００１３】
また、床に垂れ落ちて蓄積されている側縁部Ｂを拾って廃棄することに手間がかかるという課題を有している。
【課題を解決するための手段】
【００１４】
刃物駆動軸に取り付けた回転刃により壁紙の側縁部を切断するスリッターを備え、壁紙の側縁部を切断しながら糊を塗布する壁紙糊付機であって、
切断された側縁部を巻き取るための巻き取り軸を設け、巻き取り軸は、側縁部の先頭を保持するための側縁部先頭保持部を有し、巻き取り軸を刃物駆動軸に平行に配置し、刃物駆動軸の回転により巻き取り軸を回転させ、回転する巻き取り軸の周囲に側縁部先頭保持部を周回させることにより、側縁部を、側縁部先頭保持部を含み、巻き取り軸に巻き取ることを特徴とする。
【００１５】
巻き取り軸をスリッターに装着するための取付アームと、刃物駆動軸の回転を巻き取り軸に伝達するための駆動アームを設け、駆動アームは刃物駆動軸の回転を伝達するための車輪を有し、刃物駆動軸の回転中に巻き取り軸を回転させることを特徴とする。
【００１６】
側縁部先頭保持部は第１突起と第２突起と第３突起を有し、第１突起と第２突起により第１スリットを形成し、第２突起と第３突起により第２スリットを形成し、第１スリットと第２スリットは、片方の端が開放されたスリットであることを特徴とする。
【００１７】
巻き取り軸に、側縁部を巻き取るための巻芯を装着し、側縁部を、側縁部先頭保持部を含み、巻芯に巻き取ることを特徴とする。
【００１８】
回転刃により壁紙の側縁部を切断するスリッターを備え、壁紙搬送モーターにより壁紙を搬送し、壁紙の側縁部を切断しながら糊を塗布し、検尺手段により生成された検尺信号から、搬送した壁紙の長さを算出し、搬送した壁紙の長さが設定長に到達した場合に壁紙搬送モーターを停止させる壁紙糊付機であって、
切断された側縁部を巻き取るための巻き取り軸と、巻き取り軸をスリッターに装着するための取付アームと、巻き取り軸を回転させるための巻取モーターを設け、
巻き取り軸は、側縁部の先頭を保持するための側縁部先頭保持部を有し、取付アームによりスリッターに装着され、
壁紙搬送モーターの回転中に巻取モーターを回転させることにより巻き取り軸は回転し、回転する巻き取り軸の周囲に側縁部先頭保持部を周回させることにより、側縁部を、側縁部先頭保持部を含み、巻き取り軸に巻き取りることを特徴とする。
【００１９】
側縁部先頭保持部は第１突起と第２突起と第３突起を有し、第１突起と第２突起により第１スリットを形成し、第２突起と第３突起により第２スリットを形成し、第１スリットと第２スリットは、片方の端が開放されたスリットであることを特徴とする。
【００２０】
巻き取り軸に、側縁部を巻き取るための巻芯を装着し、側縁部を、側縁部先頭保持部を含み、巻芯に巻き取ることを特徴とする特徴とする。
【発明の効果】
【００２１】
刃物駆動軸に取り付けた回転刃により壁紙の側縁部を切断するスリッターを備え、壁紙の側縁部を切断しながら糊を塗布する壁紙糊付機であって、
切断された側縁部を巻き取るための巻き取り軸を設け、巻き取り軸は、側縁部の先頭を保持するための側縁部先頭保持部を有し、巻き取り軸を刃物駆動軸に平行に配置し、刃物駆動軸の回転により巻き取り軸を回転させ、回転する巻き取り軸の周囲に側縁部先頭保持部を周回させることにより、側縁部を、側縁部先頭保持部を含み、巻き取り軸に巻き取るので、
側縁部が原反受けに引っかかって内側へ垂れて壁紙供給側の壁紙に接触して再び壁紙糊付機に搬送されることはない。
また、壁紙原反に接触して原反芯棒や壁紙原反に巻き付くことはない。
また、側縁部が床に垂れ落ちて作業者の足下で邪魔になることはない。
また、側縁部は、縁部先頭保持部を含んで巻き取り軸に巻き取られており、巻き取り軸にはきつく巻かれていないので、巻き取った側縁部は容易に外すことができるので、側縁部の廃棄に手間を要することはない。
【００２２】
巻き取り軸をスリッターに装着するための取付アームと、刃物駆動軸の回転を巻き取り軸に伝達するための駆動アームを設け、駆動アームは刃物駆動軸の回転を伝達するための車輪を有し、刃物駆動軸の回転中に巻き取り軸を回転させるので、
スリッターに容易に装着でき、刃物駆動軸の回転を容易に伝達でき、また、回転刃が回転して側縁部が発生している間だけ巻き取り軸を回転させることができる。
また、一旦装着した後に、作業者により回転刃の位置がスライド移動された場合でも、巻き取り軸と回転刃の位置関係は保持されており、再調整の必要はない。
【００２３】
側縁部先頭保持部は第１突起と第２突起と第３突起を有し、第１突起と第２突起により第１スリットを形成し、第２突起と第３突起により第２スリットを形成し、第１スリットと第２スリットは、片方の端が開放されたスリットであるので、
巻き始める際は、側縁部の先頭部を第１スリットと第２スリットに通すだけで保持させることができ、巻き取った側縁部を廃棄する際は、第１スリットと第２スリットの開放端の方へ引っ張ることにより容易に外すことができる。
【００２４】
巻き取り軸に、側縁部を巻き取るための巻芯を装着し、側縁部を、側縁部先頭保持部を含み、巻芯に巻き取るので、
壁紙の材質や壁紙の左右端部がよじれている壁紙の側縁部を巻き取る場合でも安定して巻き取ることができる。また、巻き取った側縁部を廃棄する際は巻芯と一緒に外れるので、運搬途中に型崩れを生じることなく、容易に運搬でき、きれいな状態で側縁部だけを廃棄できる。
【００２５】
回転刃により壁紙の側縁部を切断するスリッターを備え、壁紙搬送モーターにより壁紙を搬送し、壁紙の側縁部を切断しながら糊を塗布し、検尺手段により生成された検尺信号から、搬送した壁紙の長さを算出し、搬送した壁紙の長さが設定長に到達した場合に壁紙搬送モーターを停止させる壁紙糊付機であって、
切断された側縁部を巻き取るための巻き取り軸と、巻き取り軸をスリッターに装着するための取付アームと、巻き取り軸を回転させるための巻取モーターを設け、
巻き取り軸は、側縁部の先頭を保持するための側縁部先頭保持部を有し、取付アームによりスリッターに装着され、
壁紙搬送モーターの回転中に巻取モーターを回転させることにより巻き取り軸は回転し、回転する巻き取り軸の周囲に側縁部先頭保持部を周回させることにより、側縁部を、側縁部先頭保持部を含み、巻き取り軸に巻き取りるので、側縁部が原反受けに引っかかって内側へ垂れて壁紙供給側の壁紙に接触して再び壁紙糊付機に搬送されることはない。
また、壁紙原反に接触して原反芯棒や壁紙原反に巻き付くことはない。
また、側縁部が床に垂れ落ちて作業者の足下で邪魔になることはない。
また、側縁部は、縁部先頭保持部を含んで巻き取り軸に巻き取られており、巻き取り軸にはきつく巻かれていないので、巻き取った側縁部は容易に外すことができるので、側縁部の廃棄に手間を要することはない。
また、刃物駆動軸の駆動を伝達する為の車輪と第１プーリーと第２プーリーなどを有した駆動アームがなく軽量で安価なものとなる。また、巻き取り軸は巻取モーターを制御することにより、回転刃が回転して側縁部が発生している間だけ巻き取り軸を回転させて効率よく巻き取ることができる。
【００２６】
側縁部先頭保持部は第１突起と第２突起と第３突起を有し、第１突起と第２突起により第１スリットを形成し、第２突起と第３突起により第２スリットを形成し、第１スリットと第２スリットは、片方の端が開放されたスリットであるので、
巻き始める際は、側縁部の先頭部を第１スリットと第２スリットに通すだけで保持させることができ、巻き取った側縁部を廃棄する際は第１スリットと第２スリットの開放端の方へ引っ張ることにより容易に外すことができる。
【００２７】
巻き取り軸に、側縁部を巻き取るための巻芯を装着し、側縁部を、側縁部先頭保持部を含み、巻芯に巻き取るので、
壁紙の材質や壁紙の左右端部がよじれている壁紙の側縁部を巻き取る場合でも安定して巻き取ることができる。また、巻き取った側縁部を廃棄する際は巻芯と一緒に外れるので、運搬途中に型崩れを生じることなく、容易に運搬でき、きれいな状態で側縁部だけを廃棄できる。
【図面の簡単な説明】
【００２８】
【図１】図１は、本発明の壁紙糊付機の全体構成を説明するための図である。
【図２】図２は、本発明の側縁部巻取機の構成を説明するための図であり、側面図である。
【図３】図３は、本発明の側縁部巻取機の構成を説明するための図であり、正面図である。
【図４】図４は、側縁部先端保持部の形状を説明するためのであり、図４（a）は天面図であり、図４（b）は側面図であり、図４（c）は正面図であり、図４（d）は巻き取られた側縁部を示す図である。
【図５】図５は、側縁部が巻き取られる経路を説明するための図である。
【図６】図６は、本発明の側縁部巻取機により側縁部が巻き取られる様子を説明するための図である。
【図７】図７は、壁紙の搬送速度に合わせながら巻き方の強弱を調整する構成を説明するための図である。
【図８】図８は、モーターを用いた側縁部巻取機の構成を説明するための図である。
【図９】図９は、モーターを用いた側縁部巻取機の制御を説明するための図であり、図９（a）は機能ブロックを説明するための図であり、図９（b）はモーターの駆動タイミングを説明するための図である。
【図１０】図１０は、従来技術の壁紙糊付機の全体構成を説明するための図である。
【図１１】図１１は、従来技術の壁紙糊付機の切り屑ガイドを説明するための図である。
【図１２】図１２は、従来技術の課題を説明するための図であり、壁紙供給側の斜めから見た図である。
【発明を実施するための最良の形態】
【００２９】
図１に本発明の壁紙糊付機（５０）の外観を示し、図８（a）に機能ブロックを示す。
脚部（５２）の上に壁紙糊付機本体部（５１）が載置され、本体部（５１）の壁紙供給側には壁紙Ａの側縁部Ｂを切断する為のスリッター（５３）が装着され、本体部（５１）の側面には壁紙糊付機（５０）を制御するための制御装置（５４）が装着されている。制御装置（５４）には壁紙搬送モーター（９５）や表示操作部（９０）や検尺手段（９１）などが設けられている。
【００３０】
また、脚部（５２）の壁紙供給側には、壁紙原反Ｃをセットする原反受け（５５）が左右一対に設けられており、壁紙原反Ｃに原反芯棒（５６）が通されて左右端面を左右一対のサイド板（５７）により横方向にずれないように保持されて、原反芯棒（５６）の左右一対の原反芯棒先端部（７５）が原反受け（５５）に引っかけられることにより壁紙原反Ｃは壁紙糊付機（５０）にセットされる。
【００３１】
本発明のスリッター（５３）は、刃物駆動軸に取り付けられた回転刃を回転させて壁紙Ａの側縁部Ｂを切断するスリッター（５３）であり、
詳しくは、回転刃とは上刃（７６）と下刃（７７）であり、刃物駆動軸とは上刃駆動軸（６７）と下刃駆動軸（６８）である。
上刃（７６）は上刃駆動軸（６７）に通されて支持されており、上刃駆動軸（６７）が回転することにより回転し、下刃（７７）は下刃駆動軸（６８）に通されて支持されており、
下刃駆動軸（６８）が回転する。上刃（７６）と下刃（７７）は左右一対設けられている。
【００３２】
また、スリッター（５３）は、背面ステー（７２）と入り口ステー（７１）に左右一対のフレーム（７８）を連結したその内側に、上下一対で左右一対の上刃（７６）と下刃（７７）を、上刃駆動軸（６７）と下刃駆動軸（６８）に通した構造であり、  本体部（５１）に装着した際には、複数の歯車（図示せず）と制御装置（５４）内の壁紙搬送モーター（９５）により、上刃駆動軸（６７）と下刃駆動軸（６８）が回転駆動され、左右一対の上刃（７６）と下刃（７７）が回転し、背面ステー（７２）と入り口ステー（７１）との間から搬送された壁紙Ａの側縁部Ｂを切断するものである。
【００３３】
また、スリッター（５３）には、壁紙Ａを安定して搬送させる為のガイドローラー（８０）が、上刃駆動軸（６７）に、上刃駆動軸（６７）と同軸に設けられている。
【００３４】
また、上刃（７６）と下刃（７７）を覆う下刃駆受けケース（６９）に、側縁部Ｂを壁紙供給側へ誘導するための湾曲内壁（７０）が設けられたものである。
【００３５】
本発明の壁紙糊付機（５０）は、制御装置（５４）により壁紙搬送モーター（９５）を回転駆動させ、本体部（５１）内部の複数の歯車（図示せず）と複数のローラー（図示せず）により壁紙Ａを搬送し、スリッター（５３）により壁紙Ａの左右側縁部Ｂを切断し、糊付けローラー（図示せず）により、糊箱（図示せず）に貯留された糊を塗布し、検尺手段（９１）により生成される検尺信号から演算部（９３）が搬送された壁紙Ａの長さを算出することにより、設定された長さの糊付き壁紙Ａを作る壁紙糊付機（５０）である。
【００３６】
更には、スリッター（５３）の背面ステー（７２）に左右一対の側縁部巻取機（１）を装着し、切断された左右側縁部Ｂを巻き取りながら糊付けを実行する壁紙糊付機（５０）である。
左右に装着する側縁部巻取機（１）は勝手反対の構造である。
【００３７】
本発明の壁紙糊付機（５０）の側縁部巻取機（１）の構成を図２と図３を用いて説明する。
図２は制御装置（５４）の反対側に装着される側縁部巻取機（１）の側面図であり、図３は制御装置（５４）が装着される側の側縁部巻取機（１）を壁紙糊付機（５０）の後方から見た図である。
側縁部巻取機（１）は、側縁部Ｂを巻き取るための巻き取り軸（２）と、側縁部巻取機（１）をスリッター（５３）に装着する為の取付アーム（５）と、スリッター（５３）の上刃駆動軸（６７）の回転を巻き取り軸（２）伝達する為の駆動アーム（４）からなっている。
【００３８】
スリッター（５３）への装着は、取付アーム（５）の下側先端の取付面（１６）をスリッター（５３）の背面ステー（７２）に設けられている取付板（８３）と刃物位置調整ネジ（８２）により、上刃駆動軸（６７）と下刃駆動軸（６８）を軸支している下刃軸受けケース（６９）に取り付けられている。
【００３９】
また、取付アーム（５）の上側先端に設けられた支点ボス（１９）に巻き取り軸（２）が通されて回動可能に保持され、巻き取り軸（２）には第２プーリー（９）と第２ベアリング（１８）と駆動アーム（４）が通されており、駆動アーム（４）は巻き取り軸（２）を支点に振り子のように動く構造である。
【００４０】
また、巻き取り軸（２）には第２ベアリング（１８）を介して駆動アーム（４）に取り付けられており、第２プーリー（９）が取り付けられている。
【００４１】
また、巻き取り軸（２）には側縁部先頭保持部（３）が巻き取り軸（２）の外周部から隙間をあけて、巻き取り軸（２）に平行に取り付けられており、
巻き取り軸（２）が回転した場合には側縁部先頭保持部（３）は巻き取り軸（２）の回りを周回する。
【００４２】
また、駆動アーム（４）の下端には第１プーリー（８）と第１ベアリング（１７）と車輪（６）が車輪軸（７）により取り付けられている。
【００４３】
また、第１プーリー（８）と第２プーリー（９）にはベルト（１０）が掛けられており、
上刃駆動軸（６７）の回転により、車輪（６）が回転して巻き取り軸（２）が回転する。
【００４４】
また、本発明の側縁部巻取機（１）がスリッター（５３）に装着された場合の各部の位置関係は、側縁部先頭保持部（３）と巻き取り軸（２）は上刃駆動軸（６７）と下刃駆動軸（６８）に平行であり、また、巻き取り軸（２）の長さと側縁部先頭保持部（３）の長さは、下刃軸受けケース（６９）の幅よりも長くしており、側縁部Ｂは図３の２点鎖線で示すようにまっすぐに上方に向かって巻き取られる。
【００４５】
図４を用いて側縁部先頭保持部（３）の形状を説明する。図４は巻芯（１３）と第１サイド板（１１）と第２サイド板（１２）を装着していない状態である。
図４（a）に示すように、側縁部先頭保持部（３）は平行に配置された３本の、第１突起（２０）と第２突起（２１）と第３突起（２２）が設けられており、第１突起（２０）と第２突起（２１）により第１スリット（３１）が形成されており、第２突起（２１）と第３突起（２２）により第２スリット（３２）が形成されている。
また、第１突起（２０）と第２突起（２１）と第３突起（２２）は片方の端で繋がっており、もう片方の端は繋がっていないので、第１スリット（３１）と第２スリット（３２）は片方の端が開放されたスリット（細隙）である。
【００４６】
また、側縁部先頭保持部（３）は、第１スリット（３１）と第２スリット（３２）の開放された方が巻き取り軸（２）の先端の方向を向いて、巻き取り軸（２）と平行に、巻き取り軸（２）に取り付けられている。
【００４７】
また、図４（b）に示すように、側縁部先頭保持部（３）は巻き取り軸（２）から距離を設けて取り付けられており、その距離は巻き取り軸（２）に巻芯（１３）を装着した時に、
第２突起（２１）と巻芯（１３）の間に壁紙Ａが通るぐらいの隙間が設けられている。
【００４８】
図４（c）に、側縁部先頭保持部（３）に側縁部Ｂの先頭部を保持させて巻き始める状態を説明する。
側縁部Ｂの先頭部は第１スリット（３１）と第２スリット（３２）を通されて、巻き取り軸（２）が図の矢印の方向に回転すると、壁紙Ａには厚みがあり、腰があり、裏面は紙材質であるので、側縁部Ｂは第１突起（２０）と第２突起（２１）と第３突起（２２）にひっっかかって巻き取られていく。
【００４９】
図４（d）に巻き取られた側縁部Ｂを示す。先頭部が側縁部先頭保持部（３）に保持された側縁部Ｂは、側縁部先頭保持部（３）を含んで、巻き取り軸（２）に巻き取られる。
巻き取られた側縁部Ｂの中心には側縁部先頭保持部（３）と巻き取り軸（２）がある。
巻き取られた側縁部Ｂは、作業者が指で掴んで巻き取り軸（２）の先端の方へ引っ張れば、
第１スリット（３１）と第２スリット（３２）の開放部（開放端）から、側縁部先頭保持部（３）の外側へ引き出される。
【００５０】
また、巻芯（１３）を装着している場合は、側縁部Ｂは側縁部先頭保持部（３）を含み、巻芯（１３）に巻き取られ、巻き取られた側縁部Ｂの中心には側縁部先頭保持部（３）と
巻芯（１３）と巻き取り軸（２）がある。
巻き取られた側縁部Ｂが巻芯（１３）に巻かれた状態のまま、側縁部先頭保持部（３）の外側へ引き出せば巻き取り軸（２）から取り外すことができる。
巻き取り軸（２）から外された側縁部Ｂと巻芯（１３）の間には隙間があるので、側縁部Ｂと巻芯（１３）は容易に分離できる。
【００５１】
また、巻き取り軸（２）には巻芯（１３）が通され、巻芯（１３）の左右には第１サイド板（１１）と第２サイド板（１２）が通されており、第１サイド板（１１）と第２サイド板（１２）は巻き取り軸（２）にネジ止めされており巻き取り軸（２）と共に回転する。
また、巻芯（１３）の内径は巻き取り軸（２）の外径よりも大きい。
【００５２】
図５を用いて巻き取り経路を説明する。回転する上刃（７６）と下刃（７７）により切断された側縁部Ｂは下刃軸受けケース（６９）の曲面壁（８１）に約半円分巻き付けられて斜め上の方に引き上げられて巻芯（１３）と側縁部先頭保持部（３）に巻かれていくので、
上刃（７６）と下刃（７７）により切断されている途中の壁紙Ａを引っ張り上げてしまことはないので、切断面を損ねることはない。
【００５３】
図６を用いて本発明の側縁部巻取機（１）を壁紙糊付機（５０）に装着して使用する方法を説明する。図６は制御装置（５４）を装着する側を見た図である。
作業者は壁紙Ａの壁紙原反Ｃを原反受け（５５）にセットした後、スリッター（５３）の背面ステー（７２）に設けられている刃物位置調整ネジ（８２）を緩めて取付板（８３）を取り外して、側縁部巻取機（１）の取付アーム（５）の取付面（１６）を背面ステー（７２）と取付板（８３）で挟み込んで刃物位置調整ネジ（８２）を締めると側縁部巻取機（１）は下刃軸受けケース（６９）に固定されてスリッター（５３）に装着される。
また、図６に示す装着位置は作業者の糊付け作業の作業性を損なわない位置である。
【００５４】
そして、作業者が左右幅方向の切断位置を設定するために刃物位置調整ネジ（８２）を緩めて、上刃（７６）と下刃（７７）の幅方向の位置をスライド移動させた場合には、側縁部巻取機（１）と上刃（７６）と下刃（７７）と下刃軸受けケース（６９）の位置関係は保たれた状態で移動する。
【００５５】
続いて、作業者は制御装置（５４）を操作して壁紙Ａをスリッター（５３）に通し、側縁部Ｂを３０ｃｍほど作り、側縁部Ｂの先頭を側縁部先頭保持部（３）に、図４（c）に示すように保持させる。
続いて、作業者は糊を塗布する壁紙Ａの長さを入力して糊付け実行を指示すると、制御装置（５４）の演算部（９３）は壁紙搬送モーター（９５）を回転させる。
壁紙搬送モーター（９５）の回転は本体部（５１）の内部に設けられた複数の歯車（図示せず）とスリッター（５３）に設けられた複数の歯車（図示せず）に伝達されて、上刃駆動軸（６７）と下刃駆動軸（６８）が回転し、上刃駆動軸（６７）と同軸に設けられているガイドローラー（８０）が回転し、押さえバネ（１５）と自重によりガイドローラー（８０）に押しつけられている側縁部巻取機（１）の駆動アーム（４）の下端の車輪（６）が回転する。車輪（６）の回転は、第１プーリー（８）とベルト（１０）により第２プーリー（９）に伝達されて巻き取り軸（２）が回転し、側縁部Ｂは側縁部先頭保持部（３）と巻芯（１３）に巻きとられていく。
【００５６】
そして、演算部（９３）により検尺手段（９１）により生成される検尺信号を計数して糊を塗布して搬送した壁紙Ａの長さを算出し、設定長に到達して壁紙搬送モーター（９５）を停止させれば、巻き取り軸（２）の回転が停止する。
このような操作を繰り返し、巻き取った側縁部Ｂがいっぱいになれば、作業者により、
第２サイド板（１２）が外されて、側縁部Ｂが巻芯（１３）に巻かれた状態のまま引っ張られれば、第１スリット（３１）と第２スリット（３２）の開放部から外れる。 そして、作業者により、側縁部Ｂは巻芯（１３）から分離され、側縁部Ｂは廃棄され、巻芯（１３）は再び使用される。
【００５７】
巻芯（１３）と第１サイド板（１１）と第２サイド板（１２）は必ずしも装着が必要なものではなく、壁紙Ａの材質、また、壁紙Ａの左右端部のよじれ具合などの壁紙Ａの状態により使用するものである。
【００５８】
また、第１サイド板（１１）と第２サイド板（１２）を装着する場合は、側縁部Ｂから約５ｍｍ離して装着するものとしている。
【００５９】
また、側縁部先頭保持部（３）と巻き取り軸（２）が側縁部Ｂを巻き取る周速は、巻き始めの時（図５に示す状態の時）の、巻き取り軸（２）が側縁部Ｂを巻き取る周速が、壁紙Ａが搬送される周速よりも速くなるようにしているので、巻き始めの時に側縁部Ｂが下刃軸受けケース（６９）から巻き取り軸（２）に至るまでの経路で弛むことはない。
また、ベルト（１０）は、第１プーリー（８）とベルト（１０）と第２プーリー（９）の間で滑りが生じる程度に張られているので、巻き取り軸（２）に巻き取られている側縁部Ｂの巻き径が太くなった場合でも、側縁部Ｂは、巻き取り軸（２）が滑ることにより、壁紙Ａが搬送されている速度に合わせて巻き取られるので、途中でちぎれることはない。
【００６０】
また、側縁部Ｂが巻き取られる周速を、壁紙Ａが搬送される速度に合わせながら、巻き取り軸（２）に巻き取られる側縁部Ｂの巻き方の強弱を調整する方法を、図５（a）と図５（b）を用いて説明する。
図５（a）は、第２プーリー（９）の中心の穴を巻き取り軸（２）の外径よりもやや大きくし、巻き取り軸（２）に対して空転する第２プーリー（９）の左右を、第１Ｏリング（３３）と第２Ｏリング（３４）により挟み込み、更に外側をプーリー受け（３５）とプーリー押さえ（３６）により挟み込み、プーリー受け（３５）は巻き取り軸（２）に取り付ける位置が固定されており、プーリー押さえ（３６）は巻き取り軸（２）に取り付ける位置が調整できる構成である。
このような構成で、プーリー受け（３５）とプーリー押さえ（３６）の間の距離を調整することにより、第１Ｏリング（３３）と第２Ｏリング（３４）が第２プーリー（９）を挟み込む力を調整することにより、巻き取り軸（２）の巻き取りトルクを調整し、巻き取りトルクを調整した後、プーリー押さえ止めネジ（３７）を締めてプーリー押さえ（３６）を固定する。
このように調整することにより、巻き径が太くなって巻き取り軸（２）が側縁部Ｂを巻き取る周速が速くなる場合でも、調整されたトルク以上の力が第２プーリー（９）に加われば、第２プーリー（９）と巻き取り軸（２）の間で滑りが生じ、側縁部Ｂは壁紙Ａが搬送されている速度に合わせて巻き取られるので、側縁部Ｂが途中でちぎれることはない。
また、適切な堅さで巻かれた側縁部Ｂを得ることができる。
【００６１】
また、図５（b）に示すものは、巻き取り軸（２）の軸端に雄ネジ部を設け、雌ネジ形状のプーリー押さえネジ（３８）を回転さて、プーリー押さえネジ（３８）と
プーリー受け（３５）の間の距離を調整するものである。
【００６２】
また、図５（a）と図５（b）に示すもの、あるいは、一定のトルク以上の力が加われば
、第２プーリー（９）が巻き取り軸（２）に対して空転するような部品、例えば、トルクリミッター等を設ける方法の場合は、ベルト（１０）は丸ベルトではなく、タイミングベルトを用いてもよく、また、ベルトではなく歯車を用いて駆動を伝達するようにしてもよい。
【００６３】
本発明の側縁部巻取機（１）は、取付アーム（５）の取付面（１６）の形状を、従来技術の壁紙糊付機（１５０）のスリッター（１５３）の背面ステー（１７２）と刃物位置調整ネジ（１８２）と刃軸受けケース（１６９）に適合する形状としているので、従来技術の壁紙糊付機（１５０）にも装着できるものである。
【００６４】
続いて、巻き取り軸（２）をモーターで回転させる方式のモーター式側縁部巻取機（２５）を図７に示す。側縁部巻取機（２）から駆動アーム（４）を削除し、取付アーム（５）に巻き取モーターＭ２（２３）を設け、第１歯車（２６）と第２歯車（２７）により巻き取モーターＭ２（２３）の回転を伝達して巻き取り軸（２）を回転させるものである。
【００６５】
図８（a）にモーター式側縁部巻取機（２５）を装着する制御装置（５４）の機能ブロック図を示す。
【００６６】
表示操作部（９０）は、壁紙糊付機（５０）の作動条件や作動指令や作動状態などの入出力をする機能であり、複数のキースイッチと液晶表示器とタッチパネル等で構成されている。
【００６７】
検尺手段（９１）は、搬送される壁紙に従動回転する検尺ローラー（図示せず）に設けられた検尺信号発生部により検尺信号を生成し、演算部（９３）が検尺信号を計数して壁紙の長さを算出する機能である。
【００６８】
記憶手段（９２）は、演算部（９３）が処理を実行する為に必要な変数や、作動条件などのデータを記憶するためのＲＡＭとＲＯＭである。
【００６９】
演算部（９３）は、主にワンチップマイコンからなり、や検尺手段（９１）や表示操作部（９０）などを制御する機能である。
【００７０】
モーター駆動部（９４）は、演算部（９３）からの指令により、モーターの起動／停止や速度制御をするものであり、壁紙Ａを搬送する為の壁紙搬送モーターＭ１（９５）と巻取軸を回転させる為の巻き取モーターＭ２（２３）と巻き取モーターＭ３（２４）を制御する。
また、巻き取モーターＭ２（２３）は制御装置（５４）が装着される側のモーター式側縁部巻取機（２５）に設けられたモーターであり、巻き取モーターＭ３（２４）は制御装置（５４）が装着される側と反対側のモーター式側縁部巻取機（２５）に設けられたモーターである。
【００７１】
巻き取モーターＭ２（２３）と巻き取モーターＭ３（２４）は配線（図示せず）とコネクタ（図示せず）によりモーター駆動部（９４）に接続されている。
【００７２】
図８（b）に、壁紙搬送モーターＭ１の回転指令（２８）と巻き取りモーターＭ２の回転指令（２９）と巻き取りモーターＭ３の回転指令（３０）のタイミングを示す。
壁紙Ａを搬送する場合に、演算部（９３）は壁紙搬送モーターＭ１（９５）を回転させる直前に、巻き取モーターＭ２（２３）と巻き取モーターＭ３（２４）を回転させ、
検尺手段（９１）により生成される検尺信号を計数して糊を塗布した搬送した壁紙Ａの長さを算出し、設定長さに到達して壁紙搬送モーター（９５）を停止させた直後に、巻き取モーターＭ２（２３）と巻き取モーターＭ３（２４）を停止させるので、切断された側縁部Ｂが下刃軸受けケース（６９）の曲面壁（８１）から側縁部先頭保持部（３）に至るまでの経路の途中で弛むことはない。
【００７３】
また、巻き取モーターＭ２（２３）と巻き取モーターＭ３（２４）の回転速度は、壁紙搬送モーターＭ１（９５）の回転速度と複数のローラーにより定まる壁紙搬送の周速よりも速い速度に設定し、切断された側縁部Ｂが下刃軸受けケース（６９）の曲面壁（８１）から側縁部先頭保持部（３）に至るまでの経路で弛むことはないようにし、図５（a）と図５（b）で示した構成を用いて、壁紙Ａが搬送されている速度に合わせて側縁部Ｂを巻き取るようにしている。
【００７４】
また、巻き取モーターＭ２（２３）と巻き取モーターＭ３（２４）の周速が、壁紙搬送モーターＭ１（９５）の壁紙搬送の周速よりも十分に速い場合は、巻き取りモーターＭ２の回転指令（２９）と巻き取りモーターＭ３の回転指令（３０）のタイミングは、壁紙搬送モーターＭ１の回転指令（２８）と同時としても支障はない。
【符号の説明】
【００７５】
１    側縁部巻取機
２    巻き取り軸
３    側縁部先頭保持部
４    駆動アーム
５    取付アーム
６    車輪
７    車輪軸
８    第１プーリー
９    第２プーリー
１０  ベルト
１１  第１サイド板
１２  第２サイド板
１３  巻芯
１４  抜き孔
１５  押さえバネ
１６  取付面
１７  第１ベアリング
１８  第２ベアリング
１９  支点ボス
２０  第１突起
２１  第２突起
２２  第３突起
２３  巻き取りモーター
２４  巻き取りモーター
２５  モーター式側縁部巻取機  
２６  第１歯車
２７  第２歯車
２８  壁紙搬送モーター回転指令
２９  巻き取りモーター回転指令
３０  巻き取りモーター回転指令
３１  第１スリット
３２  第２スリット
３３  第１Ｏリング
３４  第２Ｏリング
３５  プーリー受け
３６  プーリー押さえ
３７  プーリー押さえ止めネジ
３８  プーリー押さえネジ
５０  壁紙糊付機  
５１  本体部  
５２  脚部
５３  スリッター
５４  制御装置
５５  原反受け
５６  原反芯棒
５７  サイド板
６７  上刃駆動軸
６８  下刃駆動軸
６９  下刃軸受けケース
７０  湾曲内壁
７１  入り口ステー
７２  背面ステー
７４   原反芯棒受け
７５   原反芯棒先端部
７６   上刃
７７   下刃
７８    スリッターフレーム
７９    スリッターカバー
８０    ガイドローラー
８１    曲面壁
８２    刃物位置調整ネジ  
８３    取付板
９０    表示操作部
９１    検尺手段
９２    記憶手段      
９３    演算部
９４    モーター駆動部
９５    壁紙搬送モーター
１５０  壁紙糊付機  
１５１  本体部  
１５２  脚部
１５３  スリッター
１５４  制御装置
１５５  原反受け
１５６  原反芯棒
１５７  サイド板
１５８  上刃
１５９  下刃
１６０  上刃駆動軸
１６１  下刃駆動軸
１６２  スリッターフレーム
１６３  スリッターカバー
１６４  背面ステー
１６５  入り口ステー
１６６  切り屑ガイド
１６７  上刃駆動軸
１６８  下刃駆動軸
１６９  下刃軸受けケース
１７０  湾曲内壁
１７１  入り口ステー
１７２  背面ステー
１７３  切り屑ガイド
１７４  原反芯棒受け
１７５  原反芯棒先端部
１７６  上刃
１７７  下刃
１７８  スリッターフレーム
１７９  スリッターカバー
１８０  ガイドローラー
１８１  曲面壁
１８２  刃物位置調整ネジ
Ａ      壁紙
Ｂ      側縁部
Ｃ      壁紙原反
【図１】
2018171659.tif 000003
【図２】
2018171659.tif 000004
【図３】
2018171659.tif 000005
【図４】
2018171659.tif 000006
【図５】
2018171659.tif 000007
【図６】
2018171659.tif 000008
【図７】
2018171659.tif 000009
【図８】
2018171659.tif 000010
【図９】
2018171659.tif 000011
【図１０】
2018171659.tif 000012
【図１１】
2018171659.tif 000013
【図１２】
2018171659.tif 000014